(57)【要約】【課題】意匠性の向上、カバーレンズの光ムラ防止及び照度の向上を図ったランプユニットを提供する。【解決手段】ランプホルダ１０がランプＬを保持する。取付ベゼル２０がランプホルダ１０を保持して、ルーフトリムに取り付ける。カバーレンズ３０が、取付ベゼル２０及びランプホルダ１０の正面側を覆うように、さらに、カバーレンズ３０には、正面側からランプホルダ１０が視認される範囲を含む一部分にのみシボ部Ａが形成されており、カバーレンズ３０全体にシボ部を形成しなくても、カバーレンズ３０を通してのランプホルダ１０の視認がしにくくなっている。また、シボ部は、そのシボ部外周に近づくに従って、例えばシボの密度を低くするなどして、光透過率が高くなるように形成されている。【選択図】図１
2006210290.tif 000002
【特許請求の範囲】
【請求項１】
ランプを保持するランプホルダと、該ランプホルダを保持して、取付対象に取り付けるためのランプ取付部材と、前記ランプ取付部材に取り付けられ、当該ランプ取付部材及び前記ランプホルダの正面側を覆う光透過カバーとを備えたランプユニットであって、
前記光透過カバーは、前記正面側から前記ランプホルダが視認される範囲を含む一部分の光透過率が、当該一部分を囲む周囲部分の光透過率に比べて低いことを特徴とするランプユニット。
【請求項２】
請求項１記載のランプユニットであって、
前記光透過カバーには、前記一部分にのみシボ部が形成されていることを特徴とするランプユニット。
【請求項３】
請求項１又は２記載のランプユニットであって、
前記一部分の光透過率は、当該一部分外周に近づくに従って高くなるように形成されていることを特徴とするランプユニット。
【請求項４】
請求項１〜３何れか１項記載のランプユニットであって、
前記光透過カバーの背面側には、四角錐状に突起した複数のプリズムレンズが形成されていることを特徴とするランプユニット。
【請求項５】
請求項１〜４何れか１項記載のランプユニットであって、
前記ランプ取付部材には、当該ランプ取付部材に設けられ、その背面から正面に貫通する穴全体を正面側から覆う不透明カバーが取り付けられ、該不透明カバーよりも正面側に前記光透過カバーが取り付けられていることを特徴とするランプユニット。
【請求項６】
請求項１〜５何れか１項記載のランプユニットであって、
前記ランプ取付部材には、スライド溝が設けられ、
前記ランプ取付部の正面側に配置されると共に、前記スライド溝にスライド可能に係止され、前記光透過カバーから露出して操作されるノブを正面に有するスライド部材をさらに備え、
前記スライド部材は、当該スライド部材のスライド範囲内での位置に係わらず常に前記スライド溝全体を覆うように形成されていることを特徴とするランプユニット。
【請求項７】
請求項６記載のランプユニットであって、
前記ランプ取付部材は、前記光透過カバー正面が鉛直下向きになるように、前記取付対象に取り付け、
前記ランプ取付部材には、当該ランプ取付部材に設けられ、その背面から正面に貫通する穴を正面側から覆う不透明カバーが前記スライド溝のスライド方向延長線上に取り付けられ、
該不透明カバーよりも正面側に前記光透過カバーが取り付けられ、
前記スライド部材は、当該スライド部材のスライド範囲内での位置に係わらず常に前記不透明カバーの正面の少なくとも一部を覆うようにスライド方向に延在していることを特徴とするランプユニット。
【発明の詳細な説明】
【技術分野】
【０００１】
本発明は、ランプユニットに係り、特に、ランプを保持するランプホルダと、該ランプホルダを保持して、取付対象に取り付けるためのランプ取付部材と、前記ランプ取付部材に取り付けられ、当該ランプ取付部材及び前記ランプホルダの正面側を覆う光透過カバーとを備えたランプユニットに関するものである。
【背景技術】
【０００２】
上述した従来のランプユニットとしては、図６に示すように、車両の天井に取り付けられるルームランプが提案されている（例えば特許文献１）。図６（ａ）はルームランプの正面図であり、（ｂ）はカバーレンズ３０を取り外した状態のルームランプの正面視斜示図である。
【０００３】
同図に示すように、ルームランプは、ランプＬを保持するランプホルダ１０と、このランプホルダ１０を保持して、ルーフトリムに取り付けるための取付ベゼル（＝ランプ取付部材）２０と、取付ベゼル２０に取り付けられ、この取付ベゼル２０及びランプホルダ１０の正面全体を覆うカバーレンズ（光透過カバー）３０とから構成されている。
【０００４】
上述した取付ベゼル２０には略中央にランプ窓２１が形成されており、取付ベゼル２０はこのランプ窓２１を通して正面側からランプＬが露出するようにランプホルダ１０を保持している。また、取付ベゼル２０の背面には、ルーフトリムに設けられた係合穴（図示せず）と係合する係合爪など、取付ベゼル２０をルーフトリムに取り付けるための取付部２４が設けられている。なお、取付ベゼル２０には、その背面から正面に貫通する穴２５が多数形成されてしまうことがある。この穴２５は、例えば、背面側に突起する取付部２４を形成する際にできてしまう型抜き穴であったり、ネジ止め用のネジ穴であったりする。
【０００５】
また、取付ベゼル２０にはスライド溝２３が形成されている。取付ベゼル２０の正面側には、スライド溝２３にスライド可能に係止されたスライド部材４０が取り付けられている。このスライド部材４０の正面にはノブ４１が設けられ、このノブ４１は図６（ａ）に示すように、カバーレンズ３０の正面開口３１から露出されている。このノブ４１を操作して、スライド部材４０をスライドさせることにより、ランプＬのオンオフの切替ができるようになっている。
【０００６】
また、上述したランプホルダ１０や、取付ベゼル２０に形成されてしまう穴２５や、スライド溝２３を正面から見えにくくするために、カバーレンズ３０の背面全体にはシボ部が形成され、カバーレンズ３０全体を曇らせている。
【特許文献１】特開２００４−２０３３４４号公報
【発明の開示】
【発明が解決しようとする課題】
【０００７】
しかしながら、従来のランプユニットは、カバーレンズ３０の背面全体にシボ部を形成して曇らせているため、カバーレンズ３０に透明感がなく、意匠性が阻害されるという問題があった。また、従来のランプユニットは、カバーレンズ３０全体の光透過率が均一となるようなシボ部を形成している。このため、シボを薄くして全体の光透過率を上げると輝度は高くなるが、ランプホルダ１０や、取付ベゼル２０に形成されてしまう穴２５が見えてしまう。また、シボを濃くして光透過率を下げると、ランプホルダ１０や、取付ベゼル２０に形成されてしまう穴２５は見えにくくなるが、輝度が低くなってしまう。
【０００８】
さらに、カバーレンズ３０全体の光透過率が均一だと、ランプＬに近い部分の輝度が高くなり、ランプＬから遠くなるに従って輝度が小さくなるため、光ムラがでるという問題があった。また全体的に照度が落ちてしまうという問題もある。
【０００９】
そこで、本発明は、上記のような問題点に着目し、意匠性の向上、カバーレンズの光ムラ防止及び照度の向上を図ったランプユニットを提供することを課題とする。
【課題を解決するための手段】
【００１０】
上記課題を解決するためになされた請求項１記載の発明は、ランプを保持するランプホルダと、該ランプホルダを保持して、取付対象に取り付けるためのランプ取付部材と、前記ランプ取付部材に取り付けられ、当該ランプ取付部材及び前記ランプホルダの正面側を覆う光透過カバーとを備えたランプユニットであって、前記光透過カバーは、前記正面側から前記ランプホルダが視認される範囲を含む一部分の光透過率が、当該一部分を囲む周囲部分の光透過率に比べて低いことを特徴とするランプユニットに存する。
【００１１】
請求項１記載の発明によれば、光透過カバーは、正面側からランプホルダが視認される範囲を含む一部分の光透過率が、その一部分を囲む周囲部分の光透過率に比べて低い。従って、光透過カバーにおいて正面からランプホルダが視認される範囲を含む一部分の光透過率が低く形成されるため、正面側からランプホルダがはっきり視認されることがない。しかも、周囲部分の光透過率は高くすることができるため、全体的に光透過率の低い光透過カバーに比べて、輝度及び透明感を高めることができる。また、光透過カバーにおいてランプに近い一部分の光透過率を、ランプから遠い周囲部分の光透過率より低くすることができる。
【００１２】
請求項２記載の発明は、請求項１記載のランプユニットであって、前記光透過カバーには、前記一部分にのみシボ部が形成されていることを特徴とするランプユニットに存する。
【００１３】
請求項２記載の発明によれば、光透過カバーには、一部分にのみシボ部が形成して、光透過率を下げている。従って、一部分以外の部分にはシボ部が形成されていないため、光透過カバーにより一層透明感を持たせることができる。
【００１４】
請求項３記載の発明は、請求項１又は２記載のランプユニットであって、前記一部分の光透過率は、当該一部分外周に近づくに従って高くなるように形成されていることを特徴とするランプユニットに存する。
【００１５】
請求項３記載の発明によれば、一部分の光透過率は、その一部分外周に近づくに従って、例えばシボを薄くするなどして、光透過率が高くなるように形成されている。従って、光透過率の低い一部分と光透過率の高い周囲部分との境目を視認しにくくすることができる。しかも、一部分における光ムラも防止することができる。
【００１６】
請求項４記載の発明は、請求項１〜３何れか１項記載のランプユニットであって、前記光透過カバーの背面側には、四角錐状に突起した複数のプリズムレンズが形成されていることを特徴とするランプユニットに存する。
【００１７】
請求項４記載の発明によれば、光透過カバーの背面側には、四角錐状に突起した複数のプリズムレンズが形成されている。従って、四角錐状のプリズムレンズにより、ランプからの光をより拡散させて光透過カバーから射出することができるため、高級感ある照明を行うことができる。
【００１８】
請求項５記載の発明は、請求項１〜４何れか１項記載のランプユニットであって、前記ランプ取付部材には、当該ランプ取付部材に設けられ、その背面から正面に貫通する穴全体を正面側から覆う不透明カバーが取り付けられ、該不透明カバーよりも正面側に前記光透過カバーが取り付けられていることを特徴とするランプユニットに存する。
【００１９】
請求項５記載の発明によれば、ランプ取付部材には、ランプ取付部材に設けられ、その背面から正面に貫通する穴全体を正面側から覆う不透明カバーが取り付けられている。光透過カバーは不透明カバーよりも正面側に取り付けられている。従って、不透明カバーによって穴を覆うことにより、光透過カバーのシボ部が形成されていない部分を通して正面から穴が視認されることがない。しかも、不透明カバーによって穴を通じての埃や結露の光透過カバーへの進入を防ぐことができる。
【００２０】
請求項６記載の発明は、請求項１〜５何れか１項記載のランプユニットであって、前記ランプ取付部材には、スライド溝が設けられ、前記ランプ取付部の正面側に配置されると共に、前記スライド溝にスライド可能に係止され、前記光透過カバーから露出して操作されるノブを正面に有するスライド部材をさらに備え、前記スライド部材は、当該スライド部材のスライド範囲内での位置に係わらず常に前記スライド溝全体を覆うように形成されていることを特徴とするランプユニットに存する。
【００２１】
請求項６記載の発明によれば、ランプ取付部材にはスライド溝が設けられている。スライド部材はランプ取付部の正面側に配置されると共に、スライド溝にスライド可能に係止され、光透過カバーから露出して操作されるノブを正面に有する。スライド部材は、当該スライド部材のスライド範囲内での位置に係わらず常にスライド溝全体を覆うように形成されている。従って、スライド部材を、当該スライド部材のスライド範囲内での位置に係わらず常にスライド溝全体を覆うように形成することにより、光透過カバーのシボ部が形成されていない部分を通して正面からスライド溝が視認されることがない。しかも、スライド部材自身でスライド溝を覆うことにより、スライド部材とは別部材でスライド溝を覆う必要がなく、スライド部材の動きが干渉されることなく、組み付けも簡単になる。
【００２２】
請求項７記載の発明は、請求項６記載のランプユニットであって、前記ランプ取付部材は、前記光透過カバー正面が鉛直下向きになるように、前記取付対象に取り付け、前記ランプ取付部材には、当該ランプ取付部材に設けられ、その背面から正面に貫通する穴を正面側から覆う不透明カバーが前記スライド溝のスライド方向延長線上に取り付けられ、該不透明カバーよりも正面側に前記光透過カバーが取り付けられ、前記スライド部材は、当該スライド部材のスライド範囲内での位置に係わらず常に前記不透明カバーの正面の少なくとも一部を覆うようにスライド方向に延在していることを特徴とするランプユニットに存する。
【００２３】
請求項７記載の発明によれば、ランプ取付部材は、光透過カバー正面が鉛直下向きになるように、取付対象に取り付ける。ランプ取付部材にはスライド溝が設けられている。ランプ取付部材には、当該ランプ取付部材に設けられ、その背面から正面に貫通する穴を正面側から覆う不透明カバーがスライド溝のスライド方向延長線上に取り付けられている。光透過カバーが不透明カバーよりも正面側に取り付けられている。スライド部材は、当該スライド部材のスライド範囲内での位置に係わらず常に不透明カバーの正面の少なくとも一部を覆うようにスライド方向に延在している。従って、不透明カバーによって穴を覆うことにより、光透過カバーのシボ部が形成されていない部分を通して正面から穴が視認されることがない。しかも、不透明カバーによって、穴を通じての埃や結露の光透過カバーへの進入を防ぐことができる。さらに、スライド部材が、当該スライド部材のスライド範囲内での位置に係わらず常に不透明カバーの正面の少なくとも一部を覆うようにスライド方向に延在しているため、不透明カバーが外れてもスライド部材が支え、光透過カバー側に落下しない。
【発明の効果】
【００２４】
以上説明したように請求項１記載の発明によれば、光透過カバーにおいて正面からランプホルダが視認される範囲を含む一部分の光透過率が低く形成されるため、正面側からランプホルダがはっきり視認されることがない。しかも、周囲部分の光透過率は高くすることができるため、全体的に光透過率の低い光透過カバーに比べて、輝度及び透明感を高め、意匠性及び照度の向上を図ることができる。また、光透過カバーにおいてランプに近い一部分の光透過率を、ランプから遠い周囲部分の光透過率より低くすることができるので、光ムラの防止を図ったランプユニットを得ることができる。
【００２５】
請求項２記載の発明によれば、一部分以外の部分にはシボ部が形成されていないため、光透過カバーにより一層透明感を持たせることができるので、より一層意匠性の向上を図ったランプユニットを得ることができる。
【００２６】
請求項３記載の発明によれば、光透過率の低い一部分と光透過率の高い周囲部分との境目を視認しにくくすることができる。しかも、一部分における光ムラも防止することができるので、より一層意匠性の向上を図ったランプユニットを得ることができる。
【００２７】
請求項４記載の発明によれば、四角錐状のプリズムレンズにより、ランプからの光をより拡散させて光透過カバーから射出することができるため、高級感ある照明を行うことができるので、より一層意匠性の向上を図ったランプユニットを得ることができる。
【００２８】
請求項５記載の発明によれば、不透明カバーによって穴を覆うことにより、光透過カバーのシボ部が形成されていない部分を通して正面から穴が視認されることがないので、より一層意匠性の向上を図ることができる。しかも、不透明カバーによって、穴を通じての埃や結露の光透過カバーへの進入を防ぐことができるので、光透過カバーの汚れや焼き付きを防止したランプユニットを得ることができる。
【００２９】
請求項６記載の発明によれば、スライド部材を、当該スライド部材のスライド範囲内での位置に係わらず常にスライド溝全体を覆うように形成することにより、光透過カバーのシボ部が形成されていない部分を通して正面からスライド溝が視認されることがないので、より一層意匠性の向上を図ることができる。しかも、スライド部材自身でスライド溝を覆うことにより、スライド部材とは別部材でスライド溝を覆う必要がなく、スライド部材の動きが干渉されることなく、組み付けも簡単になるので、コストダウンを図ったランプユニットを得ることができる。
【００３０】
請求項７記載の発明によれば、不透明カバーによって穴を覆うことにより、光透過カバーのシボ部が形成されていない部分を通して正面から穴が視認されることがないので、より一層意匠性の向上を図ることができる。しかも、不透明カバーによって、穴を通じての埃や結露の光透過カバーへの進入を防ぐことができるので、光透過カバーの汚れや焼き付きを防止することができる。さらに、スライド部材が、当該スライド部材のスライド範囲内での位置に係わらず常に不透明カバーの正面の少なくとも一部を覆うようにスライド方向に延在しているため、不透明カバーが外れてもスライド部材が支え、正面側に落下しないので、メンテナンス時に光透過カバーを外した状態でも不透明カバーが落下することがないランプユニットを得ることができる。
【発明を実施するための最良の形態】
【００３１】
本発明のランプユニットについて、図面を参照して以下説明する。図１は本発明のランプユニットの一実施形態であるルームランプの正面視分解斜視図である。図２は図１のルームランプのカバーレンズ３０を外した状態での正面図である。図１に示すように、ルームランプは、ランプＬを保持するランプホルダ１０と、該ランプホルダ１０を保持して、ルーフトリムに取り付けるための正面視略長方形、かつ、受け皿状の取付ベゼル２０（＝ランプ取付部材）と、この取付ベゼル２０に取り付けられ、ランプホルダ１０及び取付ベゼル２０の正面全体を覆う光透過性のカバーレンズ３０（＝光透過カバー）とから構成されている。
【００３２】
上述した取付ベゼル２０は、カバーレンズ３０正面を鉛直下向きにしてルーフトリムに取り付ける。また、取付ベゼル２０には、略中央にランプ窓２１が形成されており、このランプ窓２１の正面側からランプＬが露出するようにランプホルダ１０が保持されている。また、図１に示すように、取付ベゼル２０背面においてランプ窓２１のスライド方向Ｙ１両側には各々、ルーフトリムに取り付けるためのルーフトリム取付爪２４ａや、車両ボディに取り付けるためのボディ取付爪２４ｂなどの取付部２４が背面側に突起して形成されている。なお、スライド方向Ｙ１は、後述するスライド部材４０がスライドする方向である。
【００３３】
また、取付ベゼル２０には、図１に示すように、その背面から正面に貫通する複数の穴２５が形成されている。本実施形態においてこの複数の穴２５は、背面側に突起する取付部２４を形成する際にできてしまう型抜き穴であるが、取付ベゼル２０によってはネジ止め用の穴が形成されているものもある。さらに、上述した取付ベゼル２０には、ランプ窓２１のスライド方向Ｙ１両側に、上述した複数の穴２５全体を正面側から覆う一対の不透明カバー５０が取り付けられる。この不透明カバー５０の取付方法としては色々あるが、本実施形態では、不透明カバー５０に係合爪５１を設け、この係合爪５１を取付ベゼル２０に形成した係合穴に係合させて取り付けている。この不透明カバー５０により穴２５は覆い隠され、図２に示すように、カバーレンズ３０を外した状態において正面側からは複数の穴２５が視認できないようになっている。
【００３４】
さらに、取付ベゼル２０には、図２に示すように、長手方向に沿ったスライド溝２３が形成されている。取付ベゼル２０の正面側には、スライド溝２３にスライド可能に係止されたスライド部材４０が取り付けられている。このスライド部材４０の背面にはスライド溝２３にスライド自在に係止する係止爪が形成されている。スライド部材４０の正面にはノブ４１が設けられ、このノブ４１はカバーレンズ３０の正面開口３１から露出されている。このノブ４１を操作して、スライド部材４０をスライドさせることにより、ランプＬのオンオフの切替ができるようになっている。
【００３５】
上述した一対の不透明カバー５０は、スライド溝２３のスライド方向Ｙ１延長線Ｌ１に一部が取り付けられた状態となっている。このスライド部材４０は、スライド部材４０のスライド範囲内での位置に係わらず常に不透明カバー５０正面の少なくとも一部を覆うようにスライド方向Ｙ１に延在している。
【００３６】
詳しくは、図２及び図３に示すように、スライド部材４０をスライド方向Ｙ１のＹ１１側に寄せた状態でも、スライド部材４０とＹ１２側にある不透明カバー５０とのオーバラップ部Ｏが形成される。同様に、図示はしないが、スライド部材４０をスライド方向Ｙ１のＹ１２側に寄せた状態でも、スライド部材４０とＹ１１側にある不透明カバー５０とのオーバーラップ部Ｏが形成される。以上のように構成すれば当然、スライド部材４０は、そのスライド部材４０のスライド範囲内での位置に係わらず常にスライド溝２３全体を覆うように形成され、図３に示すように、スライド部材４０をスライド方向Ｙ１のＹ１１側に寄せた状態であっても、スライド部材４０によりスライド溝２３正面が覆い隠される。同様に、スライド部材４０をスライド方向Ｙ１のＹ１２側に寄せた状態であっても、スライド部材４０によりスライド溝２３正面が覆い隠される。従って、カバーレンズ３０を外した状態において、正面側からスライド溝２３が視認されるということがない。
【００３７】
また、カバーレンズ３０の背面全体には、図４に示すように、四角錐状に突起した複数のプリズムレンズＰが形成されている。なお、請求項に記載した四角錐状のプリズムレンズとは、完全な四角錐状だけでなく、図４に示すように、四角錐状の角部や頂部をカットした略四角錐状のものも含まれる。さらに、カバーレンズ３０の背面には、図１及び図５に示すように、正面側からランプホルダ１０が視認される範囲を含む一部分ＡにのみランプＬからの光を乱反射するシボ部が形成されており、それ以外の部分にはシボ部は形成されていない。シボ部は、詳しくは、図４の斜線に示すようにプリズムレンズＰとプリズムレンズＰとの間に形成されている。
【００３８】
このように、カバーレンズ３０において正面からランプホルダ１０が視認される範囲を含む一部分Ａにのみシボ部が形成することにより、一部分Ａの光透過率がこの一部分Ａを囲む周囲部分の光透過率に比べて低くなる。このため、正面側からカバーレンズ３０を通して、ランプホルダ１０がはっきり視認されることがなくなる。また、上述した一部分Ａ以外はシボ部が形成されておらず、光透過率が高くなるため、カバーレンズ３０に透明感を持たせることができ、意匠性及び照度の向上を図ることができる。しかも、カバーレンズ３０においてシボ部はランプＬに近い一部分にのみ形成されているため、カバーレンズ３０においてランプＬに近い部分の光透過率を、ランプＬから遠い部分の光透過率より低くすることができ、光ムラの防止を図ることができる。
【００３９】
なお、図５に示すように、この一部分Ａにおいて、粗い斜線で示す一部分外周部は、細かい斜線で示す一部分内部に比べて、光透過率が高くなるようにシボを薄く形成している。このように一部分Ａ外周に向かうに従って段階的に光透過率が高くなるようにシボを形成することにより、シボ部が形成される一部分Ａとこの一部分Ａを囲む周囲部分との境目を視認しにくくすることができる。しかも、シボ部が形成される一部分Ａにおける光ムラも防止することができるので、より一層意匠性の向上を図ることができる。
【００４０】
さらに、背面に突起するプリズムレンズＰの形状を四角錐状にすることにより、ランプＬからの光をより拡散させてカバーレンズ３０から射出することができるため、高級感ある照明を行うことができる。
【００４１】
さらに、上述した取付部２４の形成上、型抜き穴２５ができてしまうような取付ベゼル２０の場合、上述したようにシボ部を一部分Ａにのみ形成すると、シボ部が形成されていないカバーレンズ３０越しに、取付ベゼル２０に形成された複数の穴２５が見えてしまい、意匠性が悪くなってしまう。しかしながら、本実施形態では、穴２５を不透明カバー５０で覆って、その正面からカバーレンズ３０を取り付けているので、カバーレンズ３０のシボ部が形成されていない部分を通して正面から穴２５が視認されることがなく、より一層意匠性の向上を図ることができる。しかも、図３に示すように、不透明カバー５０により、穴２５を通じての埃や水のカバーレンズ３０への進入を防ぐことができるので、カバーレンズ３０の汚れや焼き付きを防止することができる。
【００４２】
また、従来のスライド部材４０のようにカバーレンズ３０を外した状態でスライド溝２３が視認できるようになっている場合、上述したようにシボ部を一部分Ａにのみ形成すると、シボ部が形成されていないカバーレンズ３０越しに、スライド溝２３が見えてしまい、意匠性が悪くなってしまう。しかしながら、本実施形態では、スライド部材４０をスライド方向に延在させて、スライド部材４０のスライド範囲内での位置に係わらず常にスライド溝２３全体を覆うように形成しているため、カバーレンズ３０のシボ部が形成されていない部分を通して正面からスライド溝２３が視認されることがないので、より一層意匠性の向上を図ることができる。しかも、スライド部材４０自身でスライド溝２３を覆うことにより、スライド部材４０とは別部材でスライド溝を覆う必要がなく、スライド部材４０の動きが干渉されることなく、組み付けも簡単になるので、コストダウンを図ることができる。
【００４３】
さらに、当該スライド部材４０のスライド範囲内での位置に係わらず常に不透明カバー５０とスライド部材４０とのオーバーラップ部Ｏが形成されるように、スライド部材４０をさらにスライド方向Ｙ１に延在していることにより、不透明カバー５０の係止が外れてもオーバーラップしている部分のスライド部材４０が不透明カバー５０を支え、正面側に落下しないようになっている。これにより、例えば、メンテナンス時にカバーレンズ３０を外した状態でも不透明カバー５０が落下することがない。
【００４４】
なお、上述した実施形態では、取付ベゼル２０には、穴２５を正面側から覆う不透明カバー５０を取り付けていた。しかしながら、例えば、型抜き穴やネジ穴などの穴２５が形成されていなかったり、形成されていても目立たない程小さかったりした場合には、不透明カバー５０を取り付けなくてもよい。
【００４５】
また、上述した実施形態では、カバーレンズ３０には、一部分Ａにのみシボ部を形成し、一部分Ａ以外の部分にはシボ部を形成していなかった。しかしながら、例えば、カバーレンズ３０全体にシボ部を形成し、一部分Ａに形成するシボ部を一部分Ａを囲む周囲部分のシボ部より濃くして、一部分Ａの光透過率を周囲部分の光透過率より低くすることも考えられる。
【００４６】
さらに、上述した実施形態では、カバーレンズ３０において、正面側からランプホルダ１０が視認される範囲を含む一部分Ａのみの光透過率を、一部分Ａを囲む周囲部分の光透過率に比べて低くしていいたが、例えば、正面から穴２５やスライド溝２３が視認される範囲を含む部分の光透過率を、その部分を囲む周囲部分の光透過率に比べて低くすることも考えられる。
【図面の簡単な説明】
【００４７】
【図１】本発明のランプユニットの一実施形態であるルームランプの正面視分解斜視図である。
【図２】図１のルームランプのカバーレンズ３０を外した状態での正面図である。
【図３】図２（ａ）のＬ１−Ｌ１線断面図である。
【図４】（ａ）は図１に示すカバーレンズ３０の部分背面図である。（ｂ）はカバーレンズを構成するプリズムレンズＰの部分側面図である。
【図５】図１のランプユニットの正面図である。
【図６】（ａ）は従来のルームランプの正面図であり、（ｂ）はカバーレンズ３０を取り外した状態のルームランプの正面視斜示図である。
【符号の説明】
【００４８】
Ｌ    ランプ
Ｌ１  延長線
Ｐ    プリズムレンズ
Ｙ１  スライド方向
１０  ランプホルダ
２０  取付ベゼル（ランプ取付部材）
２３  スライド溝
２５  穴
３０  カバーレンズ（光透過カバー）
４０  スライド部材
４１  ノブ
５０  不透明カバー
【図１】
2006210290.tif 000003
【図２】
2006210290.tif 000004
【図３】
2006210290.tif 000005
【図４】
2006210290.tif 000006
【図５】
2006210290.tif 000007
【図６】
2006210290.tif 000008